(57)【特許請求の範囲】
【請求項１】
第１外壁部材の上端部分の上に第２外壁部材の下端部分を重ねた状態で下地材に前記第１及び前記第２外壁部材を取り付ける鎧張り取り付け工法によって、前記第１及び前記第２外壁部材を前記下地材に傾斜した状態に取り付ける際に用いられる外壁部材の支持具であって、
前記下地材に当接させるための当接面を有する一対の締結部と、
前記当接面に対して所定角度をもって延在する傾斜面を有し、前記傾斜面に前記第１外壁部材の裏面を当接させた状態で前記第１外壁部材を支持可能に構成された支持部と、
前記傾斜面と交差する方向に、前記当接面とは反対方向に突出すると共に、前記第１外壁部材が前記第２外壁部材側に移動することを規制するように構成された第1延出片部と、
前記傾斜面が前記第１延出片部から離れるに従い、前記当接面から遠ざかるように前記支持部を前記締結部に接続する板状の一対の接続部と、を備え、
前記一対の締結部、前記支持部および前記一対の接続部により矩形筒形状に構成されている
外壁部材の支持具。
【請求項２】
前記第１延出片部は前記傾斜面の上側端縁から突出しており、
前記一対の締結部、前記支持部および前記一対の接続部により貫通空間が形成されている
請求項１に記載の外壁部材の支持具。
【請求項３】
前記第１延出片部は前記傾斜面に対して垂直方向に突出している
請求項２に記載の外壁部材の支持具。
【請求項４】
前記接続部は前記締結部の長手方向全域に渡って接続している
請求項１から３のいずれか１項に記載の外装部材の支持具。
【請求項５】
前記支持部は、前記第１延出片部の延出端に接続され、前記傾斜面と対向し、かつ、前記第１外壁部材の上端部を支持可能に延出する第２延出片部を有する
請求項１から４のいずれか１項に記載の外装部材の支持具。
【請求項６】
前記第２延出片部は、前記第１外壁部材の上端部分に重ねられる前記第２外壁部材の下端部分を支持可能に構成されている下端支持部を有する
請求項５に記載の外装部材の支持具。
【発明の詳細な説明】
【技術分野】
【０００１】
本発明は、外壁部材の上端部分に別の外壁部材の下端部分を重ねた状態で下地材に外壁部材を取り付ける鎧張り取り付け工法によって、外壁部材を下地材に傾斜状に取り付ける際に用いられる外壁部材の支持具に関する。
【背景技術】
【０００２】
特許文献１には、外壁部材の上端部分に別の外壁部材の下端部分を重ねた状態で外壁部材を下地材に取り付ける、所謂、鎧張り取り付け工法によって外壁部材を下地材に取り付ける際に用いられる外壁部材の支持具が記載されている。
【０００３】
当該支持具は、下地材に締結される取付板部と、当該取付板部の一端縁から当該取付板部に対して垂直方向に延出する延出部と、外壁部材の上端部分を把持可能に断面略逆Ｕ字状に構成された把持部と、を備えている。把持部は、延出部の延出端縁に連接されており、当該延出端縁から取付板部の他端縁に向かって当該取付板部に漸次近づくような傾斜を有するように構成されている。
【０００４】
当該支持具では、把持部にて外壁部材を把持した状態で取付板部を下地材に締結することによって、外壁部材を下地材に対して傾斜状に取り付けることができるため、外壁部材を鎧張りする際の施工性の向上を図ることができると共に、延出部によって外壁部材が下地材に対して所定距離離れた状態で取り付けられるため、外壁部材と下地材との間の通気性の向上も図ることができる。
【先行技術文献】
【特許文献】
【０００５】
【特許文献１】特開平２−８８８４５号公報
【発明の概要】
【発明が解決しようとする課題】
【０００６】
しかしながら、上述した特許文献１に記載の支持具では、延出部が、外壁部材と下地材との間に浸入した雨水などの落下を阻害する場合があり、排水性という点において、なお改良の余地がある。また、延出部に雨水などが留まると支持具が腐食する場合があり、耐久性の観点からも対策が望まれる。延出部に排水孔を形成すれば良いが、強度低下を招いてしまう。
【０００７】
本発明は、上記に鑑みてなされたものであり、強度低下を招くことなく、外壁部材を鎧張りする際の施工性の向上、および、外壁部材と下地材との間に浸入した水の排水性の向上の両立に資する外壁部材の支持具を提供することを目的の一つとする。
【課題を解決するための手段】
【０００８】
本発明の外壁部材の支持具は、上述の目的を達成するために以下の手段を採った。
【０００９】
本発明に係る第１の様態の外壁部材の支持具は、第１外壁部材の上端部分の上に第２外壁部材の下端部分を重ねた状態で下地材に前記第１及び前記第２外壁部材を取り付ける鎧張り取り付け工法によって、前記第１及び前記第２外壁部材を前記下地材に傾斜した状体に取り付ける際に用いられる外壁部材の支持具であって、
前記下地材に当接させるための当接面を有する締結部と、
前記当接面に対して所定角度をもって延在する傾斜面を有し、前記傾斜面に前記第１外壁部材の裏面を当接させた状態で前記第１外壁部材を支持可能に構成された支持部と、
前記傾斜面と交差する方向に、前記当接面とは反対方向に突出すると共に、前記第１外壁部材が前記第２外壁部材側に移動することを規制するように構成された第1延出片部と、
前記傾斜面が前記第1延出片部から離れるに従い、前記当接面から遠ざかるように前記支持部を前記締結部に接続する板状の接続部と、を備えるように構成されている。
【００１０】
ここで、本発明における「下地材」とは、主柱や間柱、主柱や間柱に取り付けられた胴縁、主柱や間柱に取り付けられた合板等（面材）を含む概念である。
【００１１】
本発明によれば、支持部に外壁部材を支持した状態で締結部を下地材に締結することによって、外壁部材を下地材に対して傾斜した状態で取り付けることができるため、外壁部材を鎧張りする際の施工性の向上を図ることができる。また、接続部によって外壁部材を下地材に対して所定距離離れた状態で取り付けることができるため、外壁部材と下地材との間の通気性を確保することができる。
【００１２】
さらに、外壁部材の一端を第１延出片部に当接させることによって、傾斜面の延在方向における外壁部材の位置決めを行うことができるため、支持具を外壁部材に取り付ける際の施工性を向上することができる。
【００１３】
しかも、第１及び第２外壁材と下地材の間にある接続部が板状に構成されているため、第１及び第２外壁部材と下地材との間に浸入して、傾斜面の延在方向に落下する雨水などが接続部の主面上に留まることがない。
【００１４】
これにより、外壁部材と下地材との間に浸入した雨水などの排水性を向上することができる。また、当該雨水などに起因する支持具の錆や腐食を良好に抑制することができるため、支持具の耐久性の向上を図ることができる。もとより、本発明の支持具は、排水のための孔を有していないため、強度低下を招くこともない。
【００１５】
本発明に係る第２の態様として、前記支持部は、前記第１延出片部の延出端に接続され、前記傾斜面と対向し、かつ、前記第１外壁部材の上端部を支持可能に延出する第２延出部をさらに有している。  
【００１６】
本態様によれば、外壁部材の倒れを抑制することができるため、支持具を外壁部材に取り付ける際の施工性をより向上することができる。
【００１７】
本発明に係る第３の態様として、前記傾斜面には、前記傾斜面に当接された前記第１外壁部材を前記第２延出片部側に向かって付勢するための付勢部が設けられている。
【００１８】
本態様によれば、傾斜面と第２延出片部との間に第１外壁部材の上端部分を挟持することができるため、支持具を外壁部材に取り付ける際に相対位置ずれが生じることを抑制できる。
【００１９】
本発明に係る第４の態様として、前記付勢部が、前記傾斜面の一部を切起こすことにより構成されている。
【００２０】
本態様によれば、付勢部は、傾斜面の一部を切起こすのみで良いため簡易な構成で付勢部を確保することができる。さらに、外壁部材が切起こされた付勢部を倒しながら傾斜面と第２延出片部との間に嵌装される構成であるため、支持具と外壁部材との相対位置ずれの抑制と、支持具を外壁部材に取り付ける際の施工性と、の両立を図ることができる。
【００２１】
本発明に係る第５の態様として、前記第２延出片部は、前記第１外壁部材の上端部分に重ねられる前記第２外壁部材の下端部分を支持可能に構成されている下端支持部を有する
【００２２】
本態様によれば、第１外壁部材の上端部分に重ねられる第２外壁部材を下地材に取り付ける際の施工性も向上することができる。
【００２３】
本発明に係る第６の様態として、当該支持具は、１枚の板状部材を折り曲げ加工することによって成形されている。
【００２４】
本態様によれば、施工性、通気性および排水性の向上を図ることができる外壁部材の支持具を簡易に確保することができる。
【発明の効果】
【００２５】
本発明によれば、強度低下を招くことなく、外壁部材を鎧張りする際の施工性の向上、および、外壁部材と下地材との間に浸入した水の排水性の向上の両立に資する外壁部材の支持具を提供することができる。
【図面の簡単な説明】
【００２６】
【図１】本発明の実施の形態に係る支持具１の構成の概略を示す斜視図である。
【図２】本発明の実施の形態に係る支持具１の展開図である。
【図３】図１の矢印Ａ方向から見た平面図である。
【図４】図１の矢印Ｃ方向から見た側面図である。
【図５】接続部７ａ，７ｂおよび傾斜面１２を仮想平面ＶＰに投影した際の投影領域ＰＡ１，ＰＡ２を示す説明図である。
【図６】本発明の実施の形態に係る支持具１を用いて外壁部材６０を鎧張り状に下地材５０に取り付けた様子を示す説明図である。
【図７】支持部５の傾斜角度の設定の様子を示す説明図である。
【図８】変形例の支持具１００の構成の概略を示す概略構成図である。
【図９】変形例の支持具２００の構成の概略を示す概略構成図である。
【発明を実施するための形態】
【００２７】
次に、本発明を実施するための最良の形態を実施例を用いて説明する。
【実施例】
【００２８】
本発明の実施の形態に係る支持具１は、図１に示すように、下地材５０に締結される一対の締結部３，４と、外壁部材６０を支持可能に構成された支持部５と、一対の締結部３，４および支持部５を接続する一対の接続部７ａ，７ｂと、を備えている。支持具１は、ガルバリウム鋼板などの板部材をプレス加工によって、図２に示すように、一対の締結部３，４、支持部５および一対の接続部７ａ，７ｂを有する形状に打ち抜いた後、曲げ加工を施すことによって、図３に示すように、断面矩形の貫通空間Ｓを有する矩形筒形状に構成されている。このように、本発明の実施の形態に係る支持具１は、鋼板を曲げ加工するのみであるため、容易に製造できる。本実施の形態では、便宜上、図１中の紙面上方向を「上側」ないし「上方」として規定し、図１中の紙面下方向を「下側」ないし「下方」と規定する。また、図１中の紙面右方向を「右側」として規定し、図１中の紙面左方向を「左側」と規定する。
【００２９】
締結部３，４は、図１および図２に示すように、同一形状に構成されており、平面視長方形状に形成されている。一対の締結部３，４の上側（長手方向の一端側）部分には、板厚方向に貫通する貫通孔３ａ，４ａが形成されている。締結部３，４は、図２に示すように、プレス加工後の板部材の展開方向（図２の左右方向）両端部に設けられており、曲げ加工後においては、図３に示すように、互いに同一平面内、かつ、互いの端縁が所定距離離れた状態となるように構成される。なお、図３に示すように、締結部３，４のうち曲げ加工の際に山折りされた側の面３ｂ，４ｂが下地材５０（図１参照）に当接される。面３ｂ，４ｂは、本発明の「当接面」に対応する。
【００３０】
支持部５は、図１に示すように、締結部３，４に対向配置された傾斜面１２と、傾斜面１２の上側端縁に設けられた把持部１４と、から構成されている。傾斜面１２は、図１に示すように、平面視長方形状に形成されており、締結部３，４の中央部よりも若干上側に対応する位置から締結部３，４の下側端部に対応する位置まで延在しており、傾斜面１２の上側端縁から下側端縁に向かうほど締結部３，４から遠ざかる方向の傾斜角度を有している。傾斜角度の設定の詳細については後述する。
【００３１】
また、傾斜面１２には、図１ないし図４に示すように、切起片部１６が形成されている。切起片部１６は、傾斜面１２の中央部よりも上側端縁寄りに設けられている。切起片部１６は、傾斜面１２に形成した切り込みを切り起こすことによって形成されている。具体的には、傾斜面１２に逆Ｕ字状の切り込みを入れ、傾斜面１２の中央部側から傾斜面１２の上側端縁に向かって上り傾斜を有するように折り曲げることによって形成されている。切起片部１６は、本発明の「付勢部」に対応する。
【００３２】
把持部１４は、図４に示すように、傾斜面１２の上側端縁から傾斜面１２に対して垂直な方向に締結部３，４から離れる方向に延出する一対の第１延出片部２２と、当該一対の第１延出片部２２の延端縁から下方に向かって傾斜面１２と平行に延出する一対の第２延出片部２４と、を備えている。傾斜面１２から第２延出片部２４までの距離は、外壁部材６０の板厚寸法よりも若干大きくなるように構成されている。
【００３３】
接続部７ａは、図１および図３に示すように、締結部３および傾斜面１２それぞれの左端部を接続するように構成されており、接続部７ｂは、締結部４および傾斜面１２それぞれの右端部を接続するように構成されている。接続部７ａ，７ｂは、小端面（主面に直角に連接され、当該主面の延在方向に延在する面）において締結部３，４および傾斜面１２に接続されている。
【００３４】
即ち、接続部７ａ，７ｂは、図５に示すように、締結部３，４の面３ｂ，４ｂを含む仮想平面上ＶＰに投影された際の当該接続部７ａ，７ｂの投影領域ＰＡ１が、仮想平面上ＶＰに投影された際の傾斜面１２の投影領域ＰＡ２の延在方向、即ち、上下方向（図５の上下方向）に延在する直線形状となるように構成されている。これにより、接続部７ａ，７ｂは、図３に示すように、上方向から見た場合にも直線形状となっている。なお、接続部７ａ，７ｂは、図１に示すように、締結部３，４の長手方向全域に亘って接続されており、締結部３の曲げ剛性の向上が図られている。
【００３５】
次に、こうして構成された支持具１を用いて外壁部材６０を下地材５０に鎧張り状に取り付ける際の施工の様子および当該支持具１の作用について説明する。まず、外壁部材６０の裏面に記された支持具１の取り付け位置に合わせて支持具１を外壁部材６０に取り付ける。
【００３６】
支持具１の外壁部材６０への取り付けは、支持部１の傾斜面１２を外壁部材６０の上端部分の裏面に当接させた状態で、支持部１の第１延出片部２２が外壁部材６０の上端面に当接するまで支持具１を移動させ、外壁部材６０の上端面に支持部１の第１延出片部２２が当接した時点で、図６に示すように、外壁部材６０の表面からネジ８０をねじ込むことによって行う。支持具１が第１延出片部２２を有することによって、支持具１の外壁部材６０の上下方向の位置決めを容易に行うことができる。なお、ネジ８０の施工箇所を、後述する別の外壁部材６０の下端部分が重なる部分とすることによって、外観の意匠性が低下することを防止できる。
【００３７】
ここで、支持具１は、第２延出片部２４をさらに有しているため、支持具１を外壁部材６０に取り付ける際に、外壁部材６０が支持具１から遠ざかる方向に倒れることを良好に防止できる。これにより、支持具１の外壁部材６０への取付性が向上する。また、支持具１の傾斜面１２に形成された切起片部１６によって、外壁部材６０が第２延出片部２４側に付勢される構成、即ち、切起片部１６のバネ力によって第２延出片部２４および切起片部１６間に外壁部材６０が把持される構成であるため、支持具１を外壁部材６０に取り付ける際に支持具１が位置ずれを生じることを良好に抑制できる。これにより、支持具１の外壁部材６０への取付性をより向上することができる。
【００３８】
なお、切起片部１６は、外壁部材６０が第２延出片部２４および切起片部１６間に挿入される際に倒れる方向に切り起こされているため、切起片部１６が支持具１の外壁部材６０への取付性の低下を招くことはない。
【００３９】
続いて、図６に示すように、外壁部材６０が取り付けれた支持具１を下地材５０に取り付ける。なお、下地材５０には、予め防水シート７０がステイプルなどによって取り付けられている。支持具１の下地材５０への取り付けは、下地材５０に取り付けられた防水シート７０に記された外壁部材６０の取り付け位置に合わせた後、支持部１における締結部３，４の貫通孔３ａ，４ａからネジ９０をねじ込むことによって行う。ここで、下地材５０に取り付けられた防水シート７０に記された外壁部材６０の取り付け位置は、これから下地材５０に取り付けようとしている外壁部材６０の下端部分が、既に下地材５０に取り付けられた外壁部材６０の上端部に重なるような位置関係となるように記されている。
【００４０】
このように、支持具１を介して外壁部材６０を下地材５０に取り付けることにより、外壁部材６０を下地材５０に対して容易に傾斜状に取り付けることができ、外壁部材６０を鎧張りする際の施工性の向上を図ることができる。また、外壁部材６０と下地材５０との間に隙間を設けることができるため、通気性を確保することができる。なお、外壁部材６０は、支持具１の傾斜面１２に当接された状態で支持されるため、安定して支持することができる。
【００４１】
さらに、支持具１が矩形筒形状に構成されているため、外壁部材６０と下地材５０との間に浸入した雨水などを良好に下方に流すことができる。これにより、排水性を向上することができる。しかも、支持具１の接続部７ａ，７ｂが板状に構成されると共に、接続部７ａ，７ｂの小端面に締結部３，４および支持部５が接続される構成、即ち、支持具１を上方向から見たときに接続部７ａ，７ｂが直線形状となる構成であるため、外壁部材６０と下地材５０との間に浸入した雨水などが接続部７ａ，７ｂ上に留まることはない。
【００４２】
なお、支持具１の第１延出片部２２が傾斜面１２に対して垂直方向に延在する構成であるが、支持具１が下地材５０に取り付けられた際には、第１延出片部２２は下地材５０に向かって下り傾斜となる構成であるため、第１延出片部２２に雨水などが流れ落ちたとしても、当該雨水は支持具１の断面矩形の貫通空間Ｓに向かって流下して、第１延出片部２２上に留まることはない。
【００４３】
これにより、当該雨水などに起因する支持具１の錆や腐食を良好に抑制することができ、支持具１の耐久性の向上を図ることができる。もとより、支持具１は、排水のための孔を有していないため、強度低下も生じない。
【００４４】
ここで、本実施の形態では、支持具１の傾斜面１２の傾斜角度θは、以下のように設定するものとした。即ち、傾斜角度θは、図７に示すように、外壁部材６０の上下方向長さ寸法Ｌおよび板厚寸法ｔと、外壁部材６０同士の重なり代Ｌｒと、に基づいて設定される。より具体的には、板厚寸法ｔを、上下方向長さ寸法Ｌから重なり代Ｌｒを差し引いた値（Ｌ−Ｌｒ）で除したものの逆正接（Ａｒｃｔａｎ（ｔ／（Ｌ−Ｌｒ））*１８０°／π）をとることにより求めることができる。
【００４５】
このように傾斜面１２の傾斜角度θを設定することにより、外壁部材６０同士の重なり部に隙間が生じることを良好に防止することができる。これにより、外観の意匠性が向上する。なお、下地材５０の最下端部に外壁部材６０を取り付ける際、即ち、鎧張りにおける最初の外壁部材６０を取り付ける際には、傾斜角度θで外壁部材６０を支えることができるスペーサ部材を当該外壁部材６０の下端部の裏側に設置すれば良い。
【００４６】
本実施の形態では、支持具１が把持部１４を有する構成としたが、支持具１が把持部１４を有さない構成としても良い。あるいは、支持具１が第１延出片部２２のみを有する構成としても良い。
【００４７】
本実施の形態では、支持具１の把持部１４が、外壁部材６０の上下方向の位置決め、外壁部材６０の倒れ防止、および、外壁部材６０の把持という３つの機能を有する構成としたが、これに限らない。例えば、図８の変形例の支持具１００に例示するように、把持部１１４が、上述した機能に加えて、把持部１１４に把持された外壁部材６０の上端部分に重ね合わせられる別の外壁部材６０の下端部分の支持という機能を有する構成としても良い。
【００４８】
具体的には、把持部１１４は、図８に示すように、傾斜面１１２の上側端縁から傾斜面１１２に対して垂直な方向に締結部１０３，１０４から離れる方向に延出する第１延出片部１２２と、当該第１延出片部１２２の延出端縁から下方に向かって傾斜面１１２と平行に延出する第２延出片部１２４と、当該第２延出片部１２４の延出端縁に接続された下端支持部１２６と、を備えている。
【００４９】
第２延出片部１２４の延在長さは、図８に示すように、支持具１００に支持された外壁部材６０の上端部分と、当該外壁部材６０の上端部分に重ね合わされる別の外壁部材６０の下端部分と、の重なり代と同じになるように設定されている。
【００５０】
下端支持部１２６は、図８に示すように、第２延出片部１２４から当該第２延出片部１２４に対して垂直な方向に延出するように構成されている。下端支持部１２６の第２延出片部１２４からの延出量は、外壁部材６０の板圧寸法と同じになるように設定されている。
【００５１】
当該構成によれば、鎧張り状に外壁部材６０を下地材５０に取り付ける際の施工性および外壁部材６０の支持安定性をより向上することができる。なお、支持具１００は、把持部１１４以外の構成は、本発明の実施の形態に係る支持具１と同じ構成をしている。
【００５２】
本実施の形態では、傾斜面１２に形成した切起片部１６のバネ力を利用して傾斜面１２と第２延出片部２４との間に外壁部材６０を把持する構成としたが、これに限らない。例えば、傾斜面１２に別体の板バネを設置して当該板バネのバネ力を利用して傾斜面１２と第２延出片部２４との間に外壁部材６０を把持するする構成や、傾斜面１２にコイルバネを設置して当該コイルバネのバネ力を利用して傾斜面１２と第２延出片部２４との間に外壁部材６０を把持するする構成としても良い。
【００５３】
本実施の形態では、傾斜面１２に切起片部１６を設ける構成としたが、切起片部１６はなくても良い。
【００５４】
本実施の形態では、切起片部１６は、逆Ｕ字状に形成する構成としたが、Ｕ字状に形成する構成や、倒れＵ字状に形成する構成としても良い。あるいは、Ｕ字状に限らず他の形状に形成しても良い。
【００５５】
本実施の形態では、支持具１は、一対の接続部７ａ，７ｂを有する構成としたが、これに限らない。例えば、支持具１が３つ以上の接続部を有する構成や、図９の変形例の支持具２００に例示するように、支持具２００が唯一つの接続部２０７を有する構成としても良い。
【００５６】
支持具２００が接続部２０７を１つのみ有する構成の場合、図９に示すように、締結部２０３を一枚板により構成し、当該締結部２０３と支持部２０５とを当該締結部２０３および支持部２０５の左右方向のほぼ中央部において、接続部２０７によって接続する構成、即ち、支持具２００を上方向から見た場合に平面視略倒れＨ字状となるように構成することができる。なお、支持部２０５は、本発明の実施の形態に係る支持具１の支持部５と同じ構成とすることができる。
【００５７】
本実施の形態および変形例では、接続板部７ａ，７ｂ，２０７は、鉛直方向に延在する直線形状となるように構成したが、鉛直方向に対して直交する方向を除いて、鉛直方向に対して傾斜する方向に直線形状となるように構成しても良い。当該構成においても、外壁部材６０と下地材５０との間に浸入した雨水などが接続部７ａ，７ｂ，２０７上に留まることはないため、排水性および耐久性の向上を図ることができる。
【００５８】
本実施の形態では、一枚の板状部材を折り曲げ加工することにより支持具１を成形する構成としたが、これに限らない。例えば、締結部３、傾斜面１２、第１延出片部２２、第２延出片部２４および接続部７のいずれか、あるいは、全部を別ピースで成形した後、溶接等によって一体成形する構成としても良い。
【００５９】
本実施形態は、本発明を実施するための形態の一例を示すものである。したがって、本発明は、本実施形態の構成に限定されるものではない。
【符号の説明】
【００６０】
１        支持具（支持具）
３        締結部（締結部）
３ａ      貫通孔
３ｂ      面（当接面）
４        締結部（締結部）
４ａ      貫通孔
４ｂ      面（当接面）
５        支持部（支持部）
７ａ      接続部（接続部）
７ｂ      接続部（接続部）
１２      傾斜面（傾斜面）
１４      把持部
１６      切起片部（付勢部）
２２      第１延出片部（第１延出片部）
２４      第２延出片部（第２延出片部）
５０      下地材（下地材）
６０      外壁部材（外壁部材）
７０      防水シート
８０      ネジ
９０      ネジ
１００    支持具（支持具）
１０３    締結部（締結部）
１１２    傾斜面（傾斜面）
１１４    把持部
１２２    第１延出片部（第１延出片部）
１２４    第２延出片部（第２延出片部）
１２６    下端支持部
２００    支持具（支持具）
２０３    締結部（締結部）
２０５    支持部（支持部）
２０７    接続部（接続部）
ＶＰ      仮想平面（仮想平面）
ＰＡ１    接続部７ａ，７ｂの投影領域
ＰＡ２    傾斜面１２の投影領域
【図１】
0006694256.tif 000002
【図２】
0006694256.tif 000003
【図３】
0006694256.tif 000004
【図４】
0006694256.tif 000005
【図５】
0006694256.tif 000006
【図６】
0006694256.tif 000007
【図７】
0006694256.tif 000008
【図８】
0006694256.tif 000009
【図９】
0006694256.tif 000010